(57)【要約】【課題】単に身に着けることにより脚部が引き締められてその動きがサポートされ脚部の衰えを補うことができる下肢用衣料を提供する。【解決手段】人体の下腹部を覆う前身頃１１と、腰部から臀部の上部側を覆う後身頃１２と、前身頃１１および後身頃１２の上端縁１１ｃ，１２ｃに腰天の開口部３１に周回するように設けられるウエストベルト部３０と、股間を覆うクロッチ部４０と、脚部が挿通される脚部挿通部８０と、を有する下肢用衣料１であって、脚部挿通部８０は、内側、後部側、外側のうち少なくともいずれかを引き緩め用生地を用いて形成される。【選択図】図１
2019090151.tif 000002
【特許請求の範囲】
【請求項１】
脚部が挿通される脚部挿通部を有する下肢用衣料であって、
前記脚部挿通部は、引き締め用生地を用いて形成されることを特徴とする下肢用衣料。
【請求項２】
脚部が挿通される脚部挿通部を有する下肢用衣料であって、
前記脚部挿通部は、内側、後部側、外側のうち少なくともいずれかが引き緩め用生地を用いて形成されることを特徴とする下肢用衣料。
【請求項３】
腰天の開口部に周回するように設けられるウエストベルト部と、股間を覆うクロッチ部と、脚部が挿通される脚部挿通部を有する下肢用衣料であって、
前記脚部挿通部は、内側、後部側、外側のうち少なくともいずれかが引き緩め用生地を用いて形成されることを特徴とする下肢用衣料。
【請求項４】
人体の下腹部を覆う前身頃と、腰部から臀部の上部側を覆う後身頃と、前記前身頃および前記後身頃の上端縁に腰天の開口部に周回するように設けられるウエストベルト部と、股間を覆うクロッチ部と、脚部が挿通される脚部挿通部と、を有する下肢用衣料であって、
前記脚部挿通部は、内側、後部側、外側のうち少なくともいずれかが引き緩め用生地を用いて形成されることを特徴とする下肢用衣料。
【請求項５】
前記脚部挿通部の内側の引き締め用生地を用いて形成される部分は、前記脚部の内側の内転筋の位置を含むように形成されることを特徴とする請求項２乃至請求項４のうちいずれか一項に記載の下肢用衣料。
【請求項６】
前記脚部挿通部の内側の引き締め用生地を用いて形成される部分は、前記脚部の内側における股間付近から膝付近にかけて帯状に延在するように形成されることを特徴とする請求項５に記載の下肢用衣料。
【請求項７】
前記脚部挿通部の外側の引き締め用生地を用いて形成される部分は、前記脚部の外側の大腿四頭筋の位置を含むように形成されることを特徴とする請求項２乃至請求項６のうちいずれか一項に記載の下肢用衣料。
【請求項８】
前記脚部挿通部の外側の引き締め用生地を用いて形成される部分は、前記脚部の外側における前記膝付近から帯状に延在するように形成されることを特徴とする請求項７に記載の下肢用衣料。
【請求項９】
前記脚部挿通部の外側の引き締め用生地を用いて形成される部分は、下方から上方にかけて直線状に傾斜して形成されることを特徴とする請求項８に記載の下肢用衣料。
【請求項１０】
前記脚部挿通部の後部側の引き締め用生地を用いて形成される部分は、前記脚部の後部側のハムストリングスの位置を含むように形成されることを特徴とする請求項２乃至請求項９のうちいずれか一項に記載の下肢用衣料。
【請求項１１】
前記脚部挿通部の後部側の引き締め用生地を用いて形成される部分は、前記脚部の後部側における前記膝付近から前記臀部の下端にかけて帯状に延在するように形成されることを特徴とする請求項１０に記載の下肢用衣料。
【請求項１２】
前記脚部挿通部の後部側の引き締め用生地を用いて形成される部分は、下方から上方に掛けて幅寸法を漸次増加させるように延在して形成されることを特徴とする請求項１１に記載の下肢用衣料。
【請求項１３】
前記引き締め用生地は、伸縮生地を複数重ねて形成することを特徴とする請求項１乃至請求項１２のうちいずれか一項に記載の下肢用衣料。
【請求項１４】
前記複数の伸縮生地は、ネット生地を含むことを特徴とする請求項１３に記載の下肢用衣料。
【請求項１５】
前記ネット生地は、パワーネットとすることを特徴とする請求項１４に記載の下肢用衣料。
【請求項１６】
前記後身頃に温熱素材を設けることを特徴とする請求項１乃至請求項１５のいずれか一項に記載の下肢用衣料。
【請求項１７】
前記温熱素材は、発熱素材とすることを特徴とする請求項１６に記載の下肢用衣料。
【請求項１８】
前記発熱素材は、吸湿発熱素材とし、前記後身頃に前記吸湿発熱素材を用いた生地を更に重ねて設けることを特徴とする請求項１７に記載の下肢用衣料。
【請求項１９】
前記吸湿発熱素材を用いた生地は、前記後身頃における裏面側に更に重ねて設けられることを特徴とする請求項１８に記載の下肢用衣料。
【請求項２０】
前記吸湿発熱素材は、水蒸気が水に凝縮したときに放出される凝縮熱を利用して吸熱する素材とすることを特徴とする請求項１９に記載の下肢用衣料。
【発明の詳細な説明】
【技術分野】
【０００１】
本発明は、下肢用衣料に関し、特に脚部挿通部を引き締め用生地を用いて形成する下肢用衣料に関する。
【背景技術】
【０００２】
従来から体型を整えるための補正下着が提案されている。例えば、特許文献１には、引き締め用生地を用いてバランスのとれた体型に補正する補正下着が開示されている。また、特許文献２には、ガ−ドルなどの使用時、トイレで用をたす際に脱ぎ着せず、はいた時のスタイルが持続できる補正下着が開示されている。更には、特許文献３には、腹部、ウエスト部、ヒップ及びバストの形を整える補正下着が開示されている。
【先行技術文献】
【特許文献】
【０００３】
【特許文献１】特開２０１０−６５３７１号
【特許文献２】特開２００８−２５０７０号
【特許文献３】特開平８−２０９４０４号
【発明の概要】
【発明が解決しようとする課題】
【０００４】
ところで、人体の脚部は、年齢とともに大きく衰える部位の一つであることが知られており、人体の衰えは脚部から始まるといわれる。脚部が衰えると、階段の昇降が辛くなり日常生活に支障をきたす他、小さな段差でも躓いて大きく転倒してしまい思わぬ怪我をしたり、あるいは、脚がつりやすくなり耐え難い激痛に襲われることもある。このため、ウォーキングやランニングを行ったり、スポーツジムに通うなど脚部を鍛錬することがあるが、長続きしなかったり、費用的な問題も生じる。そこで、手軽に脚部を引き締めてその動きをサポートし脚部の衰えを補うことができる手段の提供が強く望まれていた。
【０００５】
本発明はこのような事情に鑑みてなされたものであり、単に身に着けることにより脚部が引き締められてその動きがサポートされ脚部の衰えを補うことができる下肢用衣料を提供することを目的とする。
【課題を解決するための手段】
【０００６】
上記目的を達成するために、下肢用衣料に係る請求項１の発明は、脚部が挿通される脚部挿通部を有する下肢用衣料であって、前記脚部挿通部は、引き締め用生地を用いて形成されることを特徴とする。
【０００７】
本発明によれば、前記脚部挿通部は、引き締め用生地を用いて形成されることとしたので、単に身に着けることにより脚部が引き締められてその動きがサポートされ脚部の衰えを補うことができる。
【０００８】
上記目的を達成するために、下肢用衣料に係る請求項２の発明は、脚部が挿通される脚部挿通部を有する下肢用衣料であって、前記脚部挿通部は、内側、後部側、外側のうち少なくともいずれかが引き緩め用生地を用いて形成されることを特徴とする。
【０００９】
上記目的を達成するために、下肢用衣料に係る請求項３の発明は、腰天の開口部に周回するように設けられるウエストベルト部と、股間を覆うクロッチ部と、脚部が挿通される脚部挿通部を有する下肢用衣料であって、前記脚部挿通部は、内側、後部側、外側のうち少なくともいずれかが引き緩め用生地を用いて形成されることを特徴とする。
【００１０】
上記目的を達成するために、下肢用衣料に係る請求項４の発明は、人体の下腹部を覆う前身頃と、腰部から臀部の上部側を覆う後身頃と、前記前身頃および前記後身頃の上端縁に腰天の開口部に周回するように設けられるウエストベルト部と、股間を覆うクロッチ部と、脚部が挿通される脚部挿通部と、を有する下肢用衣料であって、前記脚部挿通部は、内側、後部側、外側のうち少なくともいずれかが引き緩め用生地を用いて形成されることを特徴とする。
【００１１】
請求項２乃至請求項４に係る発明によれば、前記脚部挿通部は、内側、後部側、外側のうち少なくともいずれかが引き緩め用生地を用いて形成されることとしたので、単に身に着けることにより脚部が引き締められてその動きがサポートされ脚部の衰えを補うことができる。
【００１２】
前記脚部挿通部の内側の引き締め用生地を用いて形成される部分は、前記脚部の内側の内転筋の位置を含むように形成されることとすれば、脚部の内側の内転筋が引き締められてその動きがサポートされ脚部の衰えを確実に補うことができる（請求項５）。
【００１３】
前記脚部挿通部の内側の引き締め用生地を用いて形成される部分は、着用時に前記脚部の内側における股間付近から膝付近にかけて帯状に延在するように形成されることとすることができる（請求項６）。
【００１４】
前記脚部挿通部の外側の引き締め用生地を用いて形成される部分は、前記脚部の外側の大腿四頭筋の位置を含むように形成されることとすれば、脚部の外側の大腿四頭筋が引き締められてその動きがサポートされ脚部の衰えを確実に補うことができる（請求項７）。
【００１５】
前記脚部挿通部の外側の引き締め用生地を用いて形成される部分は、前記脚部の外側における前記膝付近から帯状に延在するように形成されることとすれば、脚部の外側を効率よくサポートすることができる（請求項８）。
【００１６】
前記脚部挿通部の外側の引き締め用生地を用いて形成される部分は、下方から上方にかけて直線状に傾斜して形成されることとすることができる（請求項９）。
【００１７】
前記脚部挿通部の後部側の引き締め用生地を用いて形成される部分は、前記脚部の後部側のハムストリングスの位置を含むように形成されることとすれば、脚部の後部側のハムストリングスが引き締められてその動きがサポートされ脚部の衰えを確実に補うことができる（請求項１０）。
【００１８】
前記脚部挿通部の後部側の引き締め用生地を用いて形成される部分は、前記脚部の後部側における前記膝付近から前記臀部の下端にかけて帯状に延びるように形成されることとすることができる（請求項１１）。
【００１９】
前記脚部挿通部の後部側の引き締め用生地を用いて形成される部分は、下方から上方に掛けて幅寸法を漸次増加させるように延在して形成されることとすれば、脚部の後部側を効率よくサポートすることができる（請求項１２）。
【００２０】
前記引き締め用生地は、伸縮生地を複数重ねて形成することとすれば、引き締め力を向上させることができ、ヒップアップ効果を更に高めることができる（請求項１３）。
【００２１】
前記複数の伸縮生地は、ネット生地を含むこととすれば、生地の厚みを薄くして、軽量化も図ることができる。また、通気性も確保して蒸れ防止を図ることができる（請求項１４）。
【００２２】
前記ネット生地は、パワーネットとすることができる（請求項１５）。
【００２３】
前記後身頃に温熱素材を設けることとすれば、人体の腰部を温めることができる（請求項１６）。
【００２４】
前記温熱素材は、発熱素材とすることができる（請求項１７）。
前記発熱素材は、吸湿発熱素材とし、前記後身頃に前記吸湿発熱素材を用いた生地を更に重ねて設けることとすれば、人体が発する汗等により発熱させることができる（請求項１８）。
【００２５】
前記吸湿発熱素材を用いた生地は、前記後身頃における裏面側に更に重ねて設けられることとすれば、吸湿発熱素材を用いた生地を人体と接触し易くすることができ、人体が発する汗等により発熱させることが容易となる（請求項１９）。
【００２６】
前記吸湿発熱素材は、水蒸気が水に凝縮したときに放出される凝縮熱を利用して吸熱する素材とすることとすれば、人体が発する汗等を発熱に有効利用することができる（請求項２０）。
【発明の効果】
【００２７】
本発明によれば、単に身に着けることにより脚部が引き締められてその動きがサポートされ脚部の衰えを補うことができる。
【図面の簡単な説明】
【００２８】
【図１】本発明の第１実施形態に係る下肢用衣料の未着用時の表面側（外面側）の構成を示す正面図である。
【図２】同下肢用衣料の未着用時の裏面側（内面側つまり裏返した状態）の構成を示す正面図である。
【図３】同下肢用衣料の未着用時の表面側（外面側）の構成を示す背面図である。
【図４】同下肢用衣料の未着用時の裏面側（内面側つまり裏返した状態）の構成を示す背面図である。
【図５】同下肢用衣料の着用時の構成を示す正面図である。
【図６】同下肢用衣料の着用時の構成を示す背面図である。
【図７】同下肢用衣料の着用時の構成を示す側面図である。
【図８】人体における大腿四頭筋およびハムストリングスを示す側面図である。
【図９】人体における大腿四頭筋、ハムストリングス、および内転筋を示す図である。
【図１０】本発明の第２実施形態に係る下肢用衣料の未着用時の表面側（外面側）の構成を示す背面図である。
【図１１】同下肢用衣料の未着用時の裏面側（内面側つまり裏返した状態）の構成を示す背面図である。
【図１２】同下肢用衣料の骨盤ベルト部の構成を模式的に示す側面断面図である。
【図１３】本発明の第３実施形態に係る下肢用衣料の未着用時の表面側（外面側）の構成を示す正面図である。
【図１４】同下肢用衣料の未着用時の表面側（外面側）の構成を示す背面図である。
【図１５】同下肢用衣料の骨盤ベルト部の構成を模式的に示す側面断面図である。
【発明を実施するための形態】
【００２９】
以下、本発明の実施形態について図面を参照して詳細に説明する。
[第１実施形態]
図１は、本発明の第１実施形態に係る下肢用衣料の未着用時の表面側（外面側）の構成を示す正面図、図２は、同下肢用衣料の未着用時の表面側（外面側）の構成を示す背面図、図３は、同下肢用衣料の未着用時の裏面側（内面側つまり裏返した状態）の構成を示す正面図、図４は、同下肢用衣料の未着用時の裏面側（内面側つまり裏返した状態）の構成を示す背面図、図５は、同下肢用衣料の着用時の構成を示す正面図、図６は、同下肢用衣料の着用時の構成を示す背面図、図７は、同下肢用衣料の着用時の構成を示す側面図、図８は、人体における大腿四頭筋およびハムストリングスを示す側面図、図９は、人体における大腿四頭筋、ハムストリングス、および内転筋を示す図である。なお、以下の説明においては、人体を基準として前後、左右、上下を定義するものとする。
【００３０】
これらの図を参照して下肢用衣料１の概要を説明すると、下肢用衣料１は、骨盤ベルト部１０、ウエストベルト部３０、クロッチ部４０、介在布部材５０、脚部挿通部８０、および脚口部１２０を有しており、使用者は、下肢用衣料１を人体の下半身に身に着けながら脚部をサポートしかつ骨盤１の補正をしつつ臀部のヒップアップ効果も得ることができる。なお、本第１実施形態にあっては、以下に詳述するように、下肢用衣料１は主に女性用のショーツを例示している。
【００３１】
骨盤ベルト部１０は、引き締め用生地で形成されており、骨盤回りを覆うように環状に形成されている。骨盤ベルト部１０は、前身頃１１および後身頃１２により形成されている。これら前身頃１１および後身頃１２は、それぞれ略矩形状に形成されており、その上端縁１１ｃ，１２ｃおよび下端縁１１ｄ，１２ｄは、略水平方向に延びている（正確には、前身頃１１の上端縁１１ｃ側は左右方向の中央部１１ｃ´（中央ラインＬ上の位置）が下方に窪んで形成され、下端縁１１ｄ側は左右方向の中央部１１ｄ´（中央ラインＬ上の位置）が下方に突出して形成されている）。
【００３２】
すなわち、前身頃１１は、人体の下腹部を覆うことを可能とする形状に形成されるとともに、後身頃１２は、腰部から臀部の上部側を覆うことを可能とする形状に形成される。これら前身頃１１および後身頃１２の両側端縁部１１ａ，１２ａおよび１１ｂ，１２ｂを相互に縫い合わせて接続することにより、環状の骨盤ベルト部１０が形成される（縫い目は肌当たりを考慮し段差の少ないフラットな構成としている）。
【００３３】
骨盤ベルト部１０は、後述するように、着用時は、人体の腸骨棘点Ａ１，Ａ２付近より詳しくは上前腸骨棘付近および下前腸骨棘付近を覆うことができる。
【００３４】
そして、骨盤ベルト部１０の側部１３，１４の下端１３ａ，１４ａ、より詳しくは前身頃１１および後身頃１２の両側端縁部１１ａ，１２ａおよび１１ｂ，１２ｂが接続される接続部分となる骨盤ベルト部１０の側部１３，１４における下端１３ａ，１４ａは、後述するように、着用時は、人体における大腿骨の大転子の最上端の点となる転子点Ｂ１，Ｂ２付近に位置し、前身頃１１の下端縁１１ｄ，後身頃１２の下端縁１２ｄは、転子点Ｂ１，Ｂ２付近から略水平方向に延びている。
【００３５】
このように骨盤ベルト部１０を腸骨棘点Ａ１，Ａ２付近を覆い、かつ、下端１３ａ，１４ａを転子点Ｂ１，Ｂ２付近に位置させることで、骨盤回りを確実に覆うことができる。
【００３６】
ここで、骨盤ベルト部１０を形成する引き締め用生地は、伸縮生地を複数より詳しくは２枚重ねて形成されており、骨盤を確実に引き締めることができる。
【００３７】
より詳しくは、骨盤ベルト部１０を形成する複数の伸縮生地は、ネット生地を含み、ネット生地は、パワーネットとすることができる。このパワーネットは、１方向に伸縮（詳しくは１方向にのみ伸縮）より詳しくは横方向更に詳しくは左右方向に伸縮（詳しくは横方向、左右方向にのみ伸縮）する１ＷＡＹ生地とする伸縮性を備えたメッシュ状の布片であり、弾性糸および吸湿性繊維等を含む。
【００３８】
更に詳しくは、骨盤ベルト部１０の表地１０ａは、複数の方向に伸縮する伸縮生地として縦方向より詳しくは上下方向および横方向より詳しくは左右方向の２方向に伸縮する２ＷＡＹ生地または全方向に伸縮するストレッチ生地とする。この表地１０ａの伸縮生地は、前身頃１１および後身頃１２の両側端縁部１１ａ，１２ａおよび１１ｂ，１２ｂを相互に縫い合わせることによって接続されて形成されている（縫い目は肌当たりを考慮し段差の少ないフラットな構成としている）。
【００３９】
一方、骨盤ベルト部１０の裏地１０ｂは、ネット生地より詳しくは上述したパワーネットとしている。そして、裏地１０ｂのパワーネットは、円周方向において縫い目のない環状に形成されている（骨盤ベルト部１０の裏地１０ｂは、円周方向において縫い目がなく、前身頃１１および後身頃１２が連続した形態となっている）。骨盤ベルト部１０は、ネット生地を含むこととしたので生地の厚みを薄くして軽量化を図ることができる。また、通気性を確保して蒸れ防止を図ることができる。
【００４０】
このパワーネットは、上記の通り、１方向に伸縮（詳しくは１方向にのみ伸縮）より詳しくは横方向に伸縮（詳しくは横方向にのみ伸縮）更に詳しくは左右方向に伸縮（詳しくは左右方向にのみ伸縮）する１ＷＡＹ生地とする伸縮性を備えたメッシュ状の布片であり、弾性糸および吸湿性繊維等を含む。このように、表地１０ａを縦方向より詳しくは上下方向および横方向より詳しくは左右方向の２方向に伸縮する２ＷＡＹ生地または全方向に伸縮するストレッチ生地とし、裏地１０ｂを横方向より詳しくは左右方向に伸縮（詳しくは横方向より詳しくは左右方向にのみ伸縮）する１ＷＡＹ生地とすることで、複数方向の伸縮を可能とするとともに、左右方向の伸縮を重畳させて左右方向の引き締め力を大きくすることができ、骨盤の補正を行うことができる。
【００４１】
骨盤ベルト部１０の上端縁１０ｃより詳しくは前身頃１１の上端縁１１ｃおよび後身頃１２の上端縁１２ｃには、ウエストベルト部３０の下端縁３０ｃが縫い合わされて接続されている。このウエストベルト部３０は、腰天の開口部３１を周回するように設けられ環状をなしている（縫い目は肌当たりを考慮し段差の少ないフラットな構成としている）。
【００４２】
ウエストベルト部３０は、引き締め用生地を用いて形成されている。そして、引き締め用生地は、伸縮生地を複数より詳しくは２枚重ねて形成されており、伸縮生地は、表地３０ａおよび裏地３０ｂともに複数の方向に伸縮する生地として縦方向より詳しくは上下方向および横方向より詳しくは左右方向の２方向に伸縮する２ＷＡＹ生地としている。このため、ウエストベルト部３０は、複数方向の伸縮を可能とするとともに、複数方向の伸縮を重畳させて十分な締め付け力を得ることができ、ゴムを使用しない構成となっている。
【００４３】
一方、骨盤ベルト部１０の下方には、股間より詳しくは女性の陰部を覆うクロッチ部４０が設けられている。クロッチ部４０は、前端縁４１から後端縁４２にいくにしたがって幅寸法が漸次増加するように形成されており、略扇型をなしている。
【００４４】
クロッチ部４０は、引き締め用生地で形成されており、引き締め用生地は、伸縮生地を複数より詳しくは２枚重ねて形成されている。より詳しくは、クロッチ部４０は、表地４０ａは、伸縮生地として複数の方向に伸縮する生地より詳しくは縦方向より詳しくは上下方向および横方向より詳しくは左右方向の２方向に伸縮する２ＷＡＹ生地としている。また、裏地４０ｂは、１方向に伸縮（詳しくは１方向にのみ伸縮）より詳しくは横方向より詳しくは左右方向に伸縮（詳しくは横方向より詳しくは左右方向にのみ伸縮）する１ＷＡＹ生地とするとともに、綿混素材としており、直履きが可能となっている（クロッチ部４０は、左右方向の伸縮を重畳させている）。
【００４５】
ここで、骨盤ベルト部１０における前身頃１１の下端縁１１ｄとクロッチ部４０の前端縁４１との間および後身頃１２の下端縁１２ｄとクロッチ部４０の後端縁４２との間には介在布部材５０が設けられている。
【００４６】
介在布部材５０は、前部介在布部材６０および後部介在布部材７０を有し、前部介在布部材６０は、人体の前部を覆い、後部介在布部材７０は、後部を覆う。
【００４７】
すなわち、前部介在布部材６０の上端縁６０ａは、前身頃１１の下端縁１１ｄに縫い合わされて接続され、後部介在布部材７０の上端縁７０ａは、後身頃１２の下端縁１２ｄに縫い合わされて接続される（縫い目は肌当たりを考慮し段差の少ないフラットな構成としている）。
【００４８】
そして、前部介在布部材６０の下端縁６０ｂは、クロッチ部４０の前端縁４１に縫い合わされて接続され、後部介在布部材７０の中央の下端縁７０ｂは、クロッチ部４０の後端縁４２に縫い合わされて接続される（縫い目は肌当たりを考慮し段差の少ないフラットな構成としている）。
【００４９】
更に、前部介在布部材６０の両側端縁６０ｃ，６０ｄは、前部介在布部材６０の下端縁６０ｂの両端６０ｂ１，６０ｂ２から骨盤ベルト部１０の側部１３，１４の下端１３ａ，１４ａ付近（前身頃１１および後身頃１２の相互に縫い合わされる両側端縁部１１ａ，１２ａおよび１１ｂ，１２ｂの下端付近）に至る部分は、それぞれ円弧状に湾曲しながら上昇するように形成され、前記下端１３ａ，１４ａを通過後、転子点Ｂ１，Ｂ２付近で頂点Ｃ１，Ｃ２に達する。前部介在布部材６０の両側端縁６０ｃ，６０ｄの位置は、人体の脚部の付け根付近に設定される。
【００５０】
ここで、後部介在布部材７０は、臀部の中間部から下部を覆うこととしており、上部側の第１の後部介在布部材７１と下部側の第２の後部介在布部材７２を有している。
【００５１】
すなわち、第１の後部介在布部材７１は、臀部の中間部を覆い、半円状または三日月状に形成されている。第２の後部介在布部材７２は、第１の後部介在布部材７１の円弧状の下端縁７１ｂを取り囲むように、かつ、臀部の下端に沿うように所定の幅をもった円弧状の湾曲状に形成され、臀部の下部を確実に覆うこととしている。
【００５２】
そして、第１の後部介在布部材７１は、伸縮生地１枚のみとし、伸縮生地は、複数の方向に伸縮する生地として縦方向より詳しくは上下方向および横方向より詳しくは左右方向の２方向に伸縮する２ＷＡＹ生地としている。また、第２の後部介在布部材７２は、引き締め用生地を用いて形成されている。より詳しくは、第２の後部介在布部材７２は、伸縮生地を複数より詳しくは２枚重ねて形成されており、伸縮生地は、ネット生地を含むこととしている。
【００５３】
更に詳しくは、第２の後部介在布部材７２は、表地７２ａを複数の方向に伸縮する伸縮生地として縦方向より詳しくは上下方向および横方向より詳しくは左右方向の２方向に伸縮する２ＷＡＹ生地とし、裏地７２ｂをネット生地としてパワーネットとしている。パワーネットは、１方向に伸縮（詳しくは１方向にのみ伸縮）より詳しくは横方向に伸縮（詳しくは横方向にのみ伸縮）更に詳しくは左右方向に伸縮（詳しくは左右方向にのみ伸縮）する１ＷＡＹ生地とする伸縮性を備えたメッシュ状の布片であり、弾性糸および吸湿性繊維等を含む。
【００５４】
つまり、後部介在布部材７０は、一枚の連続する２ＷＡＹ生地の裏側にパワーネットが縫い合わされており、パワーネットが縫い合わされず２ＷＡＹ生地一枚のみとなる上部部分が第１の後部介在布部材７１となり、パワーネットが縫い合わされることにより、２ＷＡＹ生地およびパワーネットで構成される下部部分が第２の後部介在布部材７２となる。
【００５５】
このように、第２の後部介在布部材７２を引き緩め用生地を用いて形成することとしたので、複数方向の伸縮を可能とするとともに、左右方向の伸縮を重畳させて左右方向の引き締め力を大きくすることができ、臀部が下部から引き締められ、ヒップアップ効果を高めることができる。また、引き締め用生地は、伸縮生地を複数重ねて形成することとしたので、引き締め力を向上させることができ、ヒップアップ効果を更に高めることができる。更に、複数の伸縮生地は、ネット生地を含むこととしたので、生地の厚みを薄くして、軽量化も図ることができるとともに、通気性も確保して蒸れ防止を図ることができる。
【００５６】
なお、このように形成される後部介在布部材７０は、上端縁より詳しくは第１の後部介在布部材７１の上端縁７１ａとその左右に位置し前記上端縁７１ａと連続する第２の後部介在布部材７２の上端縁７２ｃの左右部７２ｃ２，７２ｃ３を後身頃１２の下端縁１２ｄと縫い合わされて接続される。また、後部介在布部材７０は、下端縁より詳しくは第２の後部介在布部材７２の下端縁７２ｄをクロッチ部４０の後端縁４２と縫い合わされて接続される。なお、パワーネットで構成される第２の後部介在布部材７２の裏地側の上端縁７２ｃの円弧状の中央部７２ｃ１は、第１の後部介在布部材７１の円弧状の下端縁７１ｂつまり後部介在布部材７０の上下方向の中間部分に縫い合わされて接続される（なお、後部介在布部材７０のいずれの縫い目も肌当たりを考慮し段差の少ないフラットな構成としている）。
【００５７】
ここで、下肢用衣料１の後部の左右方向の中央ラインＬ上、より詳しくはウエストベルト部３０の後部の左右方向の中央部、骨盤ベルト部１０の後部をなす後身頃１２の左右方向の中央部、および後部介在布部材７１，７２の左右方向の中央部には、上下方向に延びて前記各中央部を上方に引き上げる引き上げ部材７５が設けられている。
【００５８】
この引き上げ部材７５は、上下方向に伸縮する伸縮生地を用いて形成されており、より詳しくは相対的にストレッチ性の大きい細紐状のストレッチテープが用いられている。引き上げ部材７５は、裏地側にくの字状にジグザグに縫い合わされて設けられており、第１の後部介在布部材７１における引き上げ部材７５の縫合間隔ｄは骨盤ベルト部１０および第２の後部介在布部材７２の縫合間隔Ｄよりも相対的に狭く設定されている（縫い目は肌当たりを考慮し段差の少ないフラットな構成としている）。これにより、第１の後部介在布部材７１による第２の後部介在布部材の上方への引き上げ力を相対的に大きくして設定することとしている。
【００５９】
脚部挿通部８０は、筒状に形成されており、人体の脚部の大腿部が挿通され、より詳しくは、人体の脚部の付け根部分から膝付近より詳しくは膝上方付近に至る部分が挿通される。
【００６０】
脚部挿通部８０は、前部８１の中央部８１ａ´の上端縁８１ａが、前部介在布部材６０の湾曲した両側端縁６０ｃ，６０ｄに縫い合わされて接続され、前部８１の内側部８２の上端縁８２ａが、クロッチ部４０の側端縁４３に縫い合わされて接続され、前部８１の外側部８３の上端縁８３ａが、後身頃１２の下端縁１２ｄに縫い合わされて接続される（縫い目は肌当たりを考慮し段差の少ないフラットな構成としている）。
【００６１】
また、脚部挿通部８０は、後部８４の中央部８４ｂの上端縁８４ｂ´は、後部介在布部材７０の下端縁７０ｃ，７０ｃ´，７０ｄ，７０ｄ´に接続され、後部８４の内側部８４ｃの上端縁８４ｃ´は、クロッチ部４０の側端縁４３に接続され、後部８４の外側部８４ｄの上端縁８４ｄ´は、後身頃１２の下端縁１２ｄに接続されている（外側の下端縁７０ｃ´，７０ｄ´は、後述するように、第３の脚部引き締め用生地部１１０の延在部８４ａの上端８４´と縫い目なしで連続して形成されている）。
【００６２】
脚部挿通部８０の下端縁８０ｂ´は、膝上方付近まで達し、後述する脚口部１２０の上端縁１２０ａに縫い合わされて接続される（縫い目は肌当たりを考慮し段差の少ないフラットな構成としている）。
【００６３】
すなわち、この脚部挿通部８０は、引き締め用生地を用いて形成され、より詳しくは、内側部８２，８４ｃ、後部８４側、外側部８３，８４ｄの下部側の一部が引き緩め用生地を用いて形成されている。
【００６４】
更に詳しくは、脚部挿通部８０の内側部８２，８４ｃの引き締め用生地を用いて形成される部分は、第１の脚部引き締め用生地部９０とし、第１の脚部引き締め用生地部９０は、着用時に脚部の内側の内転筋の位置を含むように形成されている。この第１の引き締め用生地部９０は、着用時に脚部の内側における股間付近から膝付近より詳しくは膝上方付近にかけて略矩形状にかつ帯状に上下方向に延在するように形成されている。
【００６５】
脚部挿通部８０の外側部８３，８４ｄの下部の引き締め用生地を用いて形成される部分は、第２の脚部引き締め用生地部１００とし、第２の脚部引き締め用生地部１００は、着用時に脚部の外側の大腿四頭筋の位置を含むように形成されている。第２の脚部引き締め用生地部１００は、着用時に脚部の外側における膝付近より詳しくは膝上方付近から後述する第３の脚部引き締め用生地部１１０の外側の傾斜する側端縁１１０ａの上下方向の中間部と接続して交差するように帯状に斜め上下方向に延在して形成されている。この帯状をなす第２の脚部引き締め用生地部１００は、下方から上方にかけて後方に上昇するように直線状に傾斜して延在し形成されている。
【００６６】
脚部挿通部８０の後部８４の引き締め用生地を用いて形成される部分は、第３の脚部引き締め用生地部１１０とし、第３の脚部引き締め用生地部１１０は、着用時に脚部の後部側の大腿二頭筋を含むハムストリングスの位置を含むように形成されている。第３の脚部引き締め用生地部１１０は、着用時に脚部の後部側における膝付近より詳しくは膝上方付近から臀部の下端にかけて帯状に上下方向に延在するように形成されている。
【００６７】
この帯状をなす第３の脚部引き締め用生地部１１０は、下方から上方にかけて幅寸法を漸次増加させるように延びて略台形形状に形成されている。第３の脚部引き締め用生地部１１０は、外側の側端縁１１０ａの上端が人体の側部に達するように直線状に傾斜して形成されている。なお、第３の脚部引き締め用生地部１１０の内側の側端縁１１０ｂと第１の脚部引き締め用生地部９０の後部側の側端縁９０ａとは連続するように縫い合わされて接続されている。
【００６８】
ここで、脚部挿通部８０を形成する第１乃至第３の脚部引き締め用生地部９０乃至１１０は、伸縮生地を複数より詳しくは２枚重ねて形成されており、脚部を確実に引き締めてその動きをサポートすることができる。
【００６９】
より詳しくは、第１乃至第３の脚部引き締め用生地部９０乃至１１０を形成する複数の伸縮生地は、ネット生地を含み、ネット生地は、パワーネットとすることができる。このパワーネットは、１方向に伸縮（詳しくは１方向にのみ伸縮）する１ＷＡＹ生地とする伸縮性を備えたメッシュ状の布片であり、弾性糸および吸湿性繊維等を含む。
【００７０】
より詳しくは、第１の脚部引き締め用生地部９０のパワーネットに用いられる１ＷＡＹ生地は、第１の脚部引き締め用生地部９０の延在方向より詳しくは上下方向に伸縮（詳しくは第１の脚部引き締め用生地部９０の延在方向より詳しくは上下方向にのみ伸縮）し、第２の脚部引き締め用生地部１００のパワーネットに用いられる１ＷＡＹ生地は、第２の脚部引き締め用生地部１００の延在方向より詳しくは第２の脚部引き締め用生地部１００の傾斜方向に伸縮（詳しくは第２の脚部引き締め用生地部１００の延在方向より詳しくは第２の脚部引き締め用生地部１００の傾斜方向にのみ伸縮）し、第３の脚部引き締め用生地部１１０のパワーネットに用いられる１ＷＡＹ生地は、第３の脚部引き締め用生地部１１０の延在方向に直交する方向より詳しくは左右方向に伸縮（詳しくは第３の脚部引き締め用生地部１１０の延在方向に直交する方向より詳しくは左右方向にのみ伸縮）する。
【００７１】
更に詳しくは、第１乃至第３の脚部引き締め用生地部９０乃至１１０の表地８０ａは、複数の方向に伸縮する伸縮生地として縦方向より詳しくは上下方向および横方向より詳しくは左右方向の２方向に伸縮する２ＷＡＹ生地または全方向に伸縮するストレッチ生地とする。
【００７２】
一方、第１乃至第３の脚部引き締め用生地部９０乃至１１０の裏地８０ｂは、ネット生地より詳しくは上述したパワーネットとしている。第１乃至第３の脚部引き締め用生地部９０乃至１１０は、ネット生地を含むこととしたので生地の厚みを薄くして軽量化を図ることができる。また、通気性を確保して蒸れ防止を図ることができる。
【００７３】
このパワーネットは、上記の通り、１方向に伸縮（詳しくは１方向にのみ伸縮）する１ＷＡＹ生地とする伸縮性を備えたメッシュ状の布片であり、弾性糸および吸湿性繊維等を含む。
【００７４】
このように、表地１０ａを縦方向より詳しくは上下方向および横方向より詳しくは左右方向の２方向に伸縮する２ＷＡＹ生地または全方向に伸縮するストレッチ生地とし、裏地１０ｂを１方向より詳しくは延在方向（上下方向、傾斜方向）若しくは延在方向に直交する方向（左右方向）に伸縮する１ＷＡＹ生地とすることで、複数方向の伸縮を可能とするとともに、伸縮を重畳させて引き締め力を大きくすることができ、大腿四頭筋、大腿二頭筋を含むハムストリングス、および内転筋の動きをサポートすることができる。
【００７５】
ここで、第３の脚部引き締め用生地部１１０には更に延在部８４ａと内側領域１１０ｃが設定されている。延在部８４ａは、後部８４の中央部８４ｂの外側に設けられ、下方から上方にかけて外側に上昇するように帯状にかつ直線状に傾斜して延在し、延在部８４の上端縁８４´は、後部介在部材７０の外側の下端縁７０ｃ´，７０ｄ´に接続されている（第３の脚部引き締め用生地部１１０の延在部８４ａの上端縁８４´は、前述するように、外側の下端縁７０ｃ´，７０ｄ´と縫い目なしで連続して形成されている）。
【００７６】
内側領域１１０ｃは、略台形形状に形成されるとともに、上記した延在部８４ａと、第２の後部介在布部材７２と、第１の脚部引き締め用生地９０と、後述する脚口部１２０と、の間に囲まれた領域となる。
【００７７】
この内側領域１１０ｃは、第１の脚部引き締め用生地部９０の後部側の側端縁９０ａと縫い目を介して連続するように形成されている。そして、内側領域１１０ｃは、外側の側端縁１１０ｄを、第３の脚部引き締め用生地部１１０の外側の側端縁１１０ａと略平行となるように傾斜して設定されている。この内側領域１１０ｃの裏面側１１０ｃ´には更に伸縮生地が重ねられており、更に重ねられた伸縮生地はネット生地とし、更にネット生地は、パワーネットとすることができる。このパワーネットは、１方向に伸縮（詳しくは１方向にのみ伸縮）より詳しくは延在方向に直交する方向に伸縮（詳しくは延在方向に直交する方向にのみ伸縮）更に詳しくは左右方向に伸縮（詳しくは左右方向にのみに伸縮）する１ＷＡＹ生地とする伸縮性を備えたメッシュ状の布片であり、弾性糸および吸湿性繊維等を含む（内側領域１１０ｃは、ネット生地２枚を含む合計３枚の伸縮生地で形成されている）。
【００７８】
なお、脚部挿通部８０の脚部引き締め用生地部９０乃至１１０以外の部分、すなわち、脚部挿通部８０の前部領域部８５および第２の脚部挿通部１００の下方側領域部８６は、伸縮生地一枚のみとし、伸縮生地は、複数の方向に伸縮する伸縮生地として縦方向より詳しくは上下方向および横方向より詳しくは左右方向の２方向に伸縮する２ＷＡＹ生地または全方向に伸縮するストレッチ生地とする。
【００７９】
ここで、前部領域部８５は、第１の脚部引き締め用生地部９０の前部側の側端縁９０ａと、第３の脚部引き締め用生地部１１０の外側の側端縁１１０ａと、第２の脚部引き締め用生地部１００の上端縁１００ａと、脚口部１２０と、の間で形成される領域であり、下方側領域部８６は、第３の脚部引き締め用生地部１１０の外側の側端縁１１０ａと、第２の脚部引き締め用生地部１００の下端縁１００ｂと、脚口部１２０と、の間で形成される領域である。
【００８０】
脚口部１２０は、一枚の布部材の両側端縁を縫い合わせて環状に形成される（縫い目は肌当たりを考慮し段差の少ないフラットな構成としている）。そして、脚口部１２０は、縫い合わされた両側端縁の縫い目１２０ｃが、脚部の内側に位置するように、脚口部１２０の上端縁１２０ａと脚部挿通部８０の下端縁８０ｂ´とを縫い合わせる。この脚口部１２０は、短尺に形成されており、その下端縁１２０ｂは、膝付近より詳しくは膝上方付近に位置する。
【００８１】
このように形成された脚口部１２０は、伸縮生地１枚のみで形成される。この伸縮生地は、複数の方向に伸縮する生地として全方向に伸縮するストレッチ生地としている。
【００８２】
以上のように形成された下肢用衣料１を着用することにより、全体が後部の臀部側に引っ張られ、骨盤ベルト部１０の側部１３，１４の位置および頂点Ｃ１，Ｃ２の位置が人体の側部側に設定される。
【００８３】
そして、引き締め用生地で形成された骨盤ベルト部１０の作用で、骨盤全体が引き締められるとともに、第２の後部介在布部材７２の作用で臀部の下部が斜め上方に押し上げられてヒップアップ効果が高まる。更に、引き上げ部材７５の作用で臀部の中央部に引き上げ部材７５がいせ込まれヒップアップ効果を更に高めることができる。なお、引き上げ部材７５によるヒップアップ効果は、上記した前身頃１１の上端縁１１ｃの中央部１１ｃ´の窪み部分と下端縁１１ｄの中央部１１ｄ´の突出部分が作用して、前身頃１１の中央部１１ｃ´，１１ｄ´が下方に引っ張られ易くなり、引き上げ部材７５により第２の後部介在布部材７２の引き上げ効果が大きくなる。
【００８４】
更に、脚部挿通部８０は、引き締め用生地を用いて形成されており、単に身に着けることにより脚部が引き締められてその動きがサポートされ脚部の衰えを補うことができる。
【００８５】
より詳しくは、脚部挿通部８０の内側の引き締め用生地である第１の脚部引き締め用生地部９０は、着用時に脚部の内側の内転筋の位置を含むように形成されており、脚部の内側の内転筋が引き締められてその動きがサポートされる。
【００８６】
また、脚部挿通部８０の外側の引き締め用生地である第２の脚部引き締め用生地部１００は、着用時に脚部の外側の大腿四頭筋の位置を含むように形成されており、脚部の外側の大腿四頭筋が引き締められてその動きがサポートされる。
【００８７】
更に、第２の脚部引き締め用生地部１００は、着用時に脚部の外側における膝付近より詳しくは膝上方付近から第３の脚部引き締め用生地部１１０の外側の傾斜する側端縁１１０ａの上下方向の中間部にかけて帯状に延びるように形成されており、脚部の外側を効率よくサポートすることができる。
【００８８】
また、脚部挿通部８０の後部側の引き締め用生地である第３の脚部引き締め用生地部１１０は、着用時に脚部の後部側の大腿二頭筋を含むハムストリングスの位置を含むように形成されており、脚部の後部側の大腿二頭筋を含むハムストリングスが引き締められてその動きがサポートされる。
【００８９】
更に、帯状をなす第３の脚部引き締め用生地部１１０は、下方から上方に掛けて幅寸法を漸次増加させるように延びて、外側の側端縁１１０ａの上端が側部に達するように直線状に傾斜して形成されることとしたので、脚部の後部側を効率よくサポートすることができる。
【００９０】
なお、第３の脚部引き締め用生地部１１０の延在部８４ａは、着用時に人体の側部に達し延在部８４ａの上部側の位置は大腿四頭筋の位置を含み。これにより、大腿四頭筋の動きもサポートすることができる。
【００９１】
[第２実施形態]
次に本発明の第２実施形態について図１０乃至図１２を参照して詳細に説明する。本発明の第２実施形態の下肢用衣料２は、上記した第１実施形態の下肢用衣料１に温熱素材２００を設けた構成を示している。なお、本第２実施形態においては、上述した第１実施形態と同一の符号が付された構成については同一の構成であるとしてその説明を省略することがあるものとする。また第１実施形態と同様の構成についてもその説明を省略することがあるものとする。
【００９２】
すなわち、本第２実施形態の下肢用衣料２においては、後身頃１２に温熱素材２００を設けることとしている。温熱素材２００は、人体の肌を温めるためのものであり、より詳しくは人体の腰部を温めることができる。温熱素材２００は、後身頃１２の中央部の一定幅領域１２´において該後身頃１２の上端縁１２ｃから下端縁１２ｄにかけて設けられている。この温熱素材２００は、発熱素材とすることができ、発熱素材は、吸湿発熱素材とすることができる。吸湿発熱素材は、水蒸気が水に凝縮したときに放出される凝縮熱を利用して吸熱する素材としており、人体が発する汗等を発熱に有効利用することができる。
【００９３】
つまり、本第２実施形態にあっては、後身頃１２の中央部の一定幅領域１２´に該後身頃１２の上端縁１２ｃから下端縁１２ｄにかけて吸湿発熱素材を用いた生地２００Ａを更に重ねて設けることとしており、吸湿発熱素材を用いた生地２００Ａは、図１２に示すように、後身頃１２における裏面側（骨盤ベルト部１０の裏地１０ｂ側）に更に重ねて設けられている。このように、吸湿発熱素材を用いた生地２００Ａを、後身頃１２における裏面側（骨盤ベルト部１０の裏地１０ｂ側）に更に重ねて設けることにより、吸湿発熱素材を用いた生地２００Ａを人体と接触し易くすることができ、人体が発する汗等により発熱させることが容易となる。ここで、吸湿発熱素材は、本発明においては、アクリル、レーヨン、ポリウレタンを含んでおり、より詳しくはアクリル５０％〜７０％より好ましくは６３％、レーヨン２０％〜４０％より好ましくは３２％、ポリウレタン２〜１０％より好ましくは５％とすることができる。
【００９４】
なお、吸湿発熱素材を用いた生地２００Ａを、骨盤ベルト部１０の表地１０ａ側に表面側から更に重ねるように設けることとしたり、骨盤ベルト部１０の裏地１０ｂ側に裏面側から更に重ねるように設けることとしても所要の効果を奏する。
【００９５】
[第３実施形態]
次に本発明の第３実施形態について図１３乃至図１５に基づいて詳細に説明する。なお、本第３実施形態においては、上述した第１実施形態および第２実施形態と同一の符号が付された構成については同一の構成であるとしてその説明を省略することがあるものとする。また第１実施形態および第２実施形態と同様の構成についてもその説明を省略することがあるものとする。
【００９６】
すなわち、本発明の第２実施形態に係る下肢用衣料３は、骨盤ベルト部１０は、骨盤ベルト部１０の一部の領域に設けられる部分引き締め用生地３００を有することとしている。骨盤ベルト部１００を形成する引き締め用生地は、上述した第１実施形態および第２実施形態と同様に複数の伸縮生地を重ねて形成されており、より詳しくは、表地１０ａ側と表地１０ｂ側を有し、部分引き締め用生地３００は、複数重ねられる引き締め用生地の間に介在するように、より詳しくは、表地１０ａと裏地１０ｂの間に介在するように設けられている（図１５）。
【００９７】
この部分引き締め用生地１００は、骨盤ベルト部１０の下部側の領域に設けられており、これにより、骨盤を更に引き締めつつ腹部も持ち上げてヒップアップ効果も更に高めことが可能となる。また、部分引き締め用生地３００は、複数重ねられる引き締め用生地の間に介在するように設けられているので、下肢用衣料３の表面からは視認することはできず製品の美観を損ねることが少ない。
【００９８】
ここで、部分引き締め用生地３００は、骨盤ベルト部１０の下端縁１１ｄ，１２ｄから上方の一定の範囲に設けられている。
【００９９】
すなわち、部分引き締め用生地３００の上端縁３００´は、骨盤ベルト部１０の上端縁１０ｃ，１１ｃ，１２ｃから一定の長さ離間している。そして、部分引き締め用生地３００の設置高さつまり上端縁３００´の高さは、骨盤ベルト部１０の前身頃１１側の上端縁３０１´が後前頃１２側の上端縁３０２´よりも低く設定されている。部分引き締め用生地３００の設置高さは、より詳しくは、前身頃１１側の上端縁３０１´においては、前身頃１１の高さの３０％〜６０％とし、後身頃１２側の上端縁３０２´においては、該後身頃１２の高さの５０〜７０％の高さとすることができる。
【０１００】
前身頃１１側の部分引き締め用生地３００の上端縁３０１´は、円弧状に湾曲した形状とすることができ、より詳しくは、前身頃１１側の部分引き締め用生地３００の上端縁３０１´は、下方側に突出した形状（つまり、前身頃１１側の部分引き締め用生地３００は上方側に対し窪んだ凹状）に形成することができる。このように、前身頃１１側の部分引き締め用生地３００を下方側に突出した形状に形成することとすれば、更に腹部を持ち上げるように矯正することができる。
【０１０１】
部分引き締め用生地３００は、上述した第１実施形態および第２実施形態の骨盤ベルト部１０を形成する裏地１０ｂ側の引き締め生地と同様に、伸縮生地とすることができる。この伸縮生地は、ネット生地とし、ネット生地は、パワーネットとすることができる。このパワーネットは、１方向に伸縮（詳しくは１方向にのみ伸縮）より詳しくは横方向に伸縮（詳しくは横方向のみに伸縮）更に詳しくは左右方向に伸縮（詳しくは左右方向にのみ伸縮）する１ＷＡＹ生地とする伸縮性を備えたメッシュ状の布片であり、弾性糸および吸湿性繊維等を含むこととすることができる。
【０１０２】
なお、部分引き締め用生地３００を、骨盤ベルト部１０の表地１０ａ側に表面側から更に重ねるように設けることとしたり、骨盤ベルト部１０の裏地１０ｂ側に裏面側から更に重ねるように設けることとしても所要の効果を奏する。
【０１０３】
また、上述した部分引き締め用生地３００は、ネット生地の他、複数の方向に伸縮する伸縮生地として縦方向より詳しくは上下方向および横方向より詳しくは左右方向の２方向に伸縮する２ＷＡＹ生地または全方向に伸縮するストレッチ生地とすることとしても所要の効果を奏することができる。
【０１０４】
以上説明したように本発明によれば、脚部挿通部８０は、引き締め用生地を用いて形成されることとしたので、単に身に着けることにより脚部が引き締められてその動きがサポートされ脚部の衰えを補うことができる。
【０１０５】
なお、本発明は、上述した実施形態に限定されず特許請求の範囲を逸脱しない範囲内において種々の変形実施、応用実施が可能であることは勿論である。
【０１０６】
例えば、上述した実施形態にあっては、下肢用衣料１，２，３は、女性用のショーツを例に説明しているが、これに限定されるものではなく、本発明の技術思想は、その他のインナーやスポーツ衣料等にも適用可能である。
【０１０７】
また、上述した実施形態にあっては、ネット生地は、パワーネットとしているが他のネット生地、例えばサテンネットあるいはトリコネットとしても所要の効果を奏する。ただし、パワーネットとした方がサテンネットあるいはトリコネットとするよりも通気性や軽量化の面で優れる。
【０１０８】
更にまた、脚部挿通部８０は、内側、後部側、外側のいずれもが引き緩め用生地を用いて形成されることとしているが、内側、後部側、外側のうち少なくともいずれかが引き緩め用生地を用いて形成されることとすれば所要の効果を奏する。
【産業上の利用可能性】
【０１０９】
本発明は、単に身に着けることにより脚部が引き締められてその動きがサポートされ脚部の衰えを補うことができる下肢用衣料を提供することができ、衣料業界の発展に大きく貢献する。 
【符号の説明】
【０１１０】
Ａ１，Ａ２：腸骨棘点
Ｂ１，Ｂ２：転子点
Ｃ１，Ｃ２：頂点
１，２，３：下肢用衣料
１０：骨盤ベルト部
１０ａ：表地
１０ｂ：裏地
１０ｃ：上端縁
１１：前身頃
１１ａ，１１ｂ：側端縁部
１１ｃ：上端縁
１１ｃ´：中央部
１１ｄ：下端縁
１１ｄ´：中央部
１２：後身頃
１２´：中央部の一定幅領域
１２ａ，１２ｂ：側端縁部
１２ｃ：上端縁
１２ｄ：下端縁
１３：側部
１３ａ：下端
１４：側部
１４ａ：下端
３０：ウエストベルト部
３０ｃ：下端縁
３１：開口部
４０：クロッチ部
４０ａ：表地
４０ｂ：裏地
４１：前端縁
４２：後端縁
５０：介在布部材
６０：前部介在布部材
６０ａ：上端縁
６０ｂ：下端縁
６０ｂ１，６０ｂ２：両端
６０ｃ，６０ｄ：側端縁
７０：後部介在布部材
７０ａ：上端縁
７０ｂ：中央の下端縁
７０ｂ１，７０ｂ２：両端
７０ｃ，７０ｃ´，７０ｄ，７０ｄ´：側方の下端縁
７１：第１の後部介在布部材
７１ａ：上端縁
７１ｂ：下端縁
７２：第２の後部介在布部材
７２ａ：表地
７２ｂ：裏地
７２ｃ：上端縁
７２ｃ１：中央部
７２ｃ２，７２ｃ３：左右部
７２ｄ：下端縁
７２ｄ１：中央部
７５：ストレッチテープ
８０：脚部挿通部
８０ａ：表地
８０ｂ：裏地
８０ｂ´：下端縁
８１：前部
８１ａ：上端縁
８１ａ´：中央部
８２：内側部
８２ａ：上端縁
８３：外側部
８３ａ：上端縁
８４：後部
８４ａ：延在部
８４ａ´：上端縁
８４ｂ：中央部
８４ｂ´：上端縁
８４ｃ：内側部
８４ｃ´：上端縁
８４ｄ：外側部
８４ｄ´：上端縁
８５：前部領域部
８６：下方側領域部
９０：第１の脚部引き締め用生地部
９０ａ：側端縁
１００：第２の脚部引き締め用生地部
１００ａ：上端縁
１００ｂ：下端縁
１１０：第３の引き締め用生地部
１１０ａ：側端縁
１１０ｂ：側端部
１１０ｃ：内側領域
１１０ｃ´：裏面側
１１０ｄ：側端縁
１２０：脚口部
１２０ａ：上端縁
１２０ｂ：下端縁
１２０ｃ：縫い目
２００：温熱素材
２００Ａ：生地
３００：部分引き締め用生地
３００´，３０１´，３０２´：上端縁
【図１】
2019090151.tif 000003
【図２】
2019090151.tif 000004
【図３】
2019090151.tif 000005
【図４】
2019090151.tif 000006
【図５】
2019090151.tif 000007
【図６】
2019090151.tif 000008
【図７】
2019090151.tif 000009
【図８】
2019090151.tif 000010
【図９】
2019090151.tif 000011
【図１０】
2019090151.tif 000012
【図１１】
2019090151.tif 000013
【図１２】
2019090151.tif 000014
【図１３】
2019090151.tif 000015
【図１４】
2019090151.tif 000016
【図１５】
2019090151.tif 000017